(57)【要約】【課題】  下腿部と足首部とに装着して使用するための利便性に勝れた足保温具を提供する。【解決手段】  下腿部に装着するための第１保温部材２と、足首部に装着するための第２保温部材３とからなり、これらの保温部材２，３は、保温性を有する柔軟な布製素材によって個別にかつ展開されたフラットシート状に形成されていて、対象部位に巻き付けて装着するように構成されると共に、巻き付け状態に保つための止着手段５を有し、該止着手段５が、巻き付けサイズに応じて止着位置を調整自在である。【選択図】    図１
2005054312.tif 000002
【特許請求の範囲】
【請求項１】
下腿部に装着するための第１保温部材と、足首部に装着するための第２保温部材とからなり、これらの保温部材は、保温性を有する柔軟な布製素材によって個別にかつ展開されたフラットシート状に形成されていて、対象部位に巻き付けて装着されると共に、巻き付け状態に保つための止着手段を有し、該止着手段が、巻き付けサイズに応じて止着位置を調整自在であることを特徴とする足保温具。
【請求項２】
上記止着手段が、先端が鈎形に折れ曲がった剛性繊維製の複数の鈎形突子を有する係止部と、輪状に湾曲する柔軟性繊維製の複数の輪奈形突子を有する被係止部とで構成されていて、上記係止部が、各保温部材の内面の一端寄りの位置に部分的に設けられると共に、上記被係止部が、各保温部材の外面のほぼ全体にわたり設けられていることを特徴とする請求項１に記載の足保温具。
【請求項３】
上記第１保温部材と第２保温部材とが、装着時に互いを連結するための連結部を有することを特徴とする請求項１又は２に記載の足保温具。
【請求項４】
上記連結部が、上記第２保温部材の一部に、足首部への装着時に該足首部の前面上端部を横切って上記第１保温部材に達するように形成されていて、該足首部の前面上端部を覆う保温部を兼ねており、また、上記第１保温部材と重なる部分に、先端が鈎形に折れ曲がった剛性繊維製の複数の鈎形突子を有することを特徴とする請求項２に従属する請求項３に記載の足保温具。
【請求項５】
上記第１保温部材と第２保温部材とがそれぞれ、該保温部材の外表面を覆う外層材と、肌に接する内層材と、これらの外層材と内層材との間に介在する中層材とで構成されていて、該中層材が、体温及び／又は圧力に感応して遠赤外線を放射する遠赤外線放射セラミックスを担持しており、また、上記内層材が、銅線を含むことによって静電気を放電する機能を有することを特徴とする請求項１から４までの何れかに記載の足保温具。
【請求項６】
上記中層材が更に、摩擦が加わるとマイナスイオンを発生するイオンセラミックス及び抗菌作用を持つ抗菌セラミックスのうち少なくとも１つを含むことを特徴とする請求項５に記載の足保温具。
【発明の詳細な説明】
【技術分野】
【０００１】
本発明は、足の下腿部と足首部とに装着して使用する足保温具に関するものである。
【背景技術】
【０００２】
この種の足保温具して、従来、例えば特許文献１及び特許文献２に記載のものが提案されている。このうち特許文献１に記載のものは、円筒状をした本体と、該本体の下端部半周縁に連設された爪先カバー片とからなっていて、この爪先カバー片は、上記本体外面に沿って折り返され、左右両側縁が該本体に逢着されている。そして、上記本体を足首から膝側にかけた下腿部に装着したあと、指先近くまで移動させ、上記爪先カバー片を内外反転させて爪先を覆うことにより、足袋状にして使用するものである。
【０００３】
ところが、この特許文献１に記載のものは、上記本体が筒状に形成されているため、装着時には、その内部に足首を挿入したあと下腿部の位置までずらす必要があり、取り外し時にはその逆に、足首の方にずらしながら引き抜かなければならない。このため、着脱作業が面倒で、かなりの力も必要とし、このような作業を中腰の状態で行う場合、足腰にかかる負担は非常に大きいものとなる。また、筒のサイズを変えられないため、使用者によっては装着時の締め付け力が大きすぎたり、その逆に小さすぎたりしてフィット感が得られにくく、使用しているうちに緩んでサイズが合わなくなることもあり、常に最適な装着状態を得るのは非常に難しい。
【０００４】
一方、特許文献２に記載のものは、下腿部を覆うための筒状の上部構造部と、足甲部を覆うための靴状をした下部構造部とからなっていて、上部構造部は、筒の側面にファスナーからなる開閉部を設け、この開閉部で筒を開閉自在としている。
【０００５】
この特許文献２に記載のものは、筒状をした上部構造部が開閉自在になっているため、着脱作業には便利であるが、布材の両端に取り付けたファスナーを開閉する方式であるため、筒のサイズを調節することはきない。このため、上記特許文献１に記載のものと同様に、足のサイズが異なる不特定の使用者について常に最適な装着状態を得るのは難しい。しかも、上記下部構造部が靴状をしているため、その構造が複雑で製造も取り扱いも難しい。
【特許文献１】実用新案登録第３０８８４７８号公報
【特許文献２】特開平２００２−３１５６０１号公報
【発明の開示】
【発明が解決しようとする課題】
【０００６】
本発明の課題は、下腿部と足首部とに装着して使用するための足保温具であって、簡単な構造を持ち、着脱作業も容易であり、かつ、使用者に応じて装着時のサイズを自由に調整することができる、利便性に勝れた上記足保温具を提供することにある。
【課題を解決するための手段】
【０００７】
上記課題を解決するため、本発明の足保温具は、下腿部に装着するための第１保温部材と、足首部に装着するための第２保温部材とからなり、これらの保温部材は、保温性を有する柔軟な布製素材によって個別にかつ展開されたフラットシート状に形成されていて、対象部位に巻き付けて装着されると共に、巻き付け状態に保つための止着手段を有し、該止着手段が、巻き付けサイズに応じて止着位置を調整自在であることを特徴とするものである。
【０００８】
本発明の好ましい態様では、上記止着手段が、先端が鈎形に折れ曲がった剛性繊維製の複数の鈎形突子を有する係止部と、輪状に湾曲する柔軟性繊維製の複数の輪奈形突子を有する被係止部とで構成されていて、上記係止部が、各保温部材の内面の一端寄りの位置に部分的に設けられると共に、上記被係止部が、各保温部材の外面のほぼ全体にわたり設けられている。
【０００９】
本発明においては、上記第１保温部材と第２保温部材とが、装着時に互いを連結するための連結部を有している。
【００１０】
上記連結部は、上記第２保温部材の一部に、足首部への装着時に該足首部の前面上端部を横切って上記第１保温部材に達するように形成されていて、該足首部の前面上端部を覆う保温部を兼ねており、また、上記第１保温部材と重なる部分に、先端が鈎形に折れ曲がった剛性繊維製の複数の鈎形突子を有していることが望ましい。
【００１１】
本発明の好ましい具体的な構成態様によれば、上記第１保温部材と第２保温部材とがそれぞれ、該保温部材の外表面を覆う外層材と、肌に接する内層材と、これら外層材と内層材との間に介在する中層材とからなっていて、該中層材が、体温及び／又は圧力に感応して遠赤外線を放射する遠赤外線放射セラミックスを担持しており、また、上記内層材が、銅線を含むことによって静電気を放電する機能を保持している。
【００１２】
本発明においては、上記中層材が更に、摩擦が加わるとマイナスイオンを発生するイオンセラミックス及び抗菌作用を持つ抗菌セラミックスのうち少なくとも１つを含むことが望ましい。
【発明の効果】
【００１３】
本発明によれば、下腿部に装着するための第１保温部材と、足首部に装着するための第２保温部材とが、それぞれ展開されたフラットシート状に形成されていて、対象部位に巻き付けて装着するようになっているため、各保温部材の構成が非常に簡単で、着脱作業も容易であり、不使用時の収納や携帯にも便利である。しかも、上記各保温部材を巻き付け状態に保つための止着手段が、巻き付けサイズに応じて止着位置を調整自在であるため、どのような使用者に対してもピッタリとフィットした状態に装着することができる。
【発明を実施するための最良の形態】
【００１４】
図１は本発明に係る足保温具を示すもので、同図（Ａ）には左足用の足保温具１Ａが示され、同図（Ｂ）には右足用の足保温具１Ｂが示されている。これらの足保温具１Ａ，１Ｂは、足の下腿部に装着するための第１保温部材２と、足首部に装着するための第２保温部材３とからなっていて、個別に形成されたこれら第１及び第２の保温部材２，３を１組とし、上記左足用と右足用の２組の足保温具１Ａ，１Ｂが使用される。なお、ここで「下腿部」とは、足の膝からくるぶしまでの部分を言い、「足首部」とは、くるぶしから下の部分を言うこととする。
【００１５】
上記左足用の足保温具１Ａと右足用の足保温具１Ｂとは、第１保温部材２，２同士及び第２保温部材３，３同士が互いに左右対称形をしているだけで、それらの実質的な構造は同じであるから、以下、左足用の足保温具１Ａについて代表的にその構成を説明する。また、以下の説明中、左足用の足保温具１Ａと右足用の足保温具１Ｂとを使い分ける必要があるとき以外は、それらを共通符号「１」で表示するものとする。
【００１６】
上記第１保温部材２は、保温性を有する柔軟な布製素材によって展開されたフラットシート形状に形成されていて、図５及び図６に示すように対象部位である下腿部に巻き付けて装着するように構成されると共に、巻き付けた状態に保つための止着手段５を有している。図示した例では、この第１保温部材２が台形形の展開形状をしていて、その展開状態での縦方向長さＬ１は、足の下腿部即ち膝下からくるぶしに至る長さにほぼ等しく形成され、一方、中央位置での横方向長さＬ２は、それを下腿部に一巻きしたとき側端部同士が若干（約３〜１０ｃｍ程度）重なり合う程度の長さに形成されている。このように、上記第１保温部材２が台形状をしているのは、下腿部が膝側からくるぶし側に向けて次第に細くなっているため、それに適合させるためである。しかし、この第１保温部材２の展開形状はこのような形に限定されるものではなく、下腿部に巻き付けて装着できる形状であれば、長方形であっても、長円形であっても、それらに類似するその他の形状であっても良い。
【００１７】
上記止着手段５は、図１（Ａ）に示すように、先端が鈎形に折れ曲がった剛性繊維製の複数の鈎形突子６ａを備えた係止部６と、図２に示すように、輪状に湾曲する柔軟性繊維製の複数の輪奈形突子７ａを備えた被係止部７とで構成されている。これらの鈎形突子６ａと輪奈形突子７ａの構成自体は、通常の面ファスナーによって一般に良く知られた構成である。そして、上記係止部６が、第１保温部材２の内面の一端寄りの位置に部分的に設けられ、被係止部７は、該第１保温部材２の外面のほぼ全体にわたって設けられている。従って、上記輪奈形突子７ａが第１保温部材２の外面全体に形成されていることになる。これにより、該第１保温部材２を下腿部に巻き付けたとき、上記係止部６を、該第１保温部材２の外面のどの位置にも止着することができる。換言すれば、使用者の下腿部のサイズに応じて上記係止部６の止着位置を任意に調整することができ、その結果、該第１保温部材２をいかなる使用者に対してもぴったりとフィットした状態に装着することができることになる。
【００１８】
上記第１保温部材２は、上記布製素材を多層に積層することによって構成されている。即ちこの第１保温部材２は、図３に示すように、保温部材の外表面を覆う外層材１０と、肌に接する内層材１１と、これら外層材１０と内層材１１との間に介在する中層材１２とで構成されている。
【００１９】
上記外層材１０は、天然繊維又は合成繊維あるいはそれらの混合繊維で形成した織布からなるもので、この実施例では、合成繊維であるナイロン（登録商標）繊維とポリエステル繊維との混合糸でパイル織した織布が用いられている。この外層材１０の外表面は、上記止着手段５を構成する柔軟な輪奈形突子７ａで覆われており、この輪奈形突子７ａによって柔軟な手触り感が付与されている。
【００２０】
また、上記内層材１１は、織布により形成されていて、この織布は、ポリエステル等の合成繊維と、吸湿性及び速乾性を有する親水性繊維とを、複数本ずつ束ねた繊維糸を使用して形成されている。そして、この繊維糸中に導電性を有する１本又は複数本の銅線糸を含ませることにより、静電気を放電する機能が付与されている。このように、肌に接する内層材１１中に銅線糸を編み込むことにより、特に冬期において、人体に帯電する静電気がこの銅線糸を通じて放電されるため、衣服が肌にまとわりついたり、ドアノブ等を持つときの放電による不快感等が解消される。なお、上記内装材１１は不織布で形成することもできる。
【００２１】
更に、上記中層材１２は、合成繊維又は天然繊維で形成された織布又は不織布からなる基材に、遠赤外線を放射する遠赤外線放射セラミックスと、摩擦が加わるとマイナスイオンを発生するイオンセラミックスと、抗菌作用を持つ抗菌セラミックスとを、適宜方法により担持させて構成したものである。このようなセラミックスを上記基材に担持させる方法の一つとして、それらのセラミックス粉末を塗料やインキなどに混ぜ、図４に示すように、この塗料又はインキ１２ｂを上記基材１２ａの表面に適宜パターンで塗布する方法がある。この場合の上記塗料又はインキの塗布パターンは任意であるが、複数の円や多角形あるいは線等が規則的又は不規則的に点在するパターンが一般的である。
【００２２】
上記遠赤外線放射セラミックスとしては、体温に感応して遠赤外線を放射する感温性セラミックスと、体重や外部作用力などの圧力に感応して遠赤外線を放射する圧電性セラミックスとがあるが、ここではその両方が併用されている。しかし、それらのうちの何れか一方だけを使用しても良い。
【００２３】
このように、上記中層材１２に遠赤外線放射セラミックスを担持させると、使用者の体温や外力等の作用によってこのセラミックスから多量の遠赤外線が放射され、足保温具による保温性が向上するだけでなく、血流が促進され、疲労回復や自然治癒力の増大あるいは免疫力の回復等に有効である。また、イオンセラミックスから発せられるマイナスイオンの働きがこれに加わり、リラックスできる環境が整えられることになる。
なお、上記中層材１２には、上述したセラミックス以外にも、キトサン等の抗菌性物質を担持させることもできる。しかし、この抗菌性物質と上記イオンセラミックスとは、必ずしも中層材１２に担持させる必要はない。
【００２４】
上記外層材１０と中層材１２と内層材１１とは、図１〜図３から明らかなように、固定糸１４でその全面を格子状に縫合し、周縁部に縁材１５を逢着することにより、一体に結合されている。
【００２５】
一方、上記第２保温部材３は、図１及び図２に示すように、保温性を有する柔軟な布製素材によって展開されたフラットシート形状に形成されていて、図５及び図６に示すように、対象部位である足首部に巻き付けて装着するように構成されると共に、巻き付け状態に保つための止着手段５を有し、更に、足首部への装着時にこの第２保温部材３を上記第１保温部材２に連結するための連結部１７を有している。
【００２６】
図示した実施例では、上記第２保温部材３が横に細長い長方形状又は台形状をなしていて、その上辺の一端寄りの位置に、台形状をした上記連結部１７が、外側に向けて張り出した形に形成されている。この連結部１７の内面側には、先端が鈎形に折れ曲がった剛性繊維製の複数の鈎形突子１７ａが設けられていて、これらの鈎形突子１７ａが、上記第１保温部材２の外面の輪奈形突子７ａに係止するようになっている。また、この連結部１７は、上記第１保温部材２との連結持に足首部の前面上端部位置を上方に向けて横切り、該第１保温部材２に達するものであり、従って、該足首部の前面上端部を覆う保温部を兼ねている。
【００２７】
また、上記第２保温部材３の展開状態での縦方向長さＬ３は、足首部の指先と踵を除いた部分、即ち甲の部分に巻き付けて装着可能な長さであり、一方、横方向長さＬ４は、それを足首部に一巻きしたとき側端部同士が若干（約３〜５ｃｍ程度）重なり合う位に形成されている。
【００２８】
なお、上記第２保温部材３の上記以外の具体的な構成、即ち、該第２保温部材３が多層構造をしている点や、上記止着手段５が係止部６と被係止部７とからなっていて、被係止部７が第２保温部材３の外面全体に設けられている点、及びそれらの好ましい変形例や作用等については、上記第１保温部材２の場合と全く同じであるから、重複した説明を避ける意味で、それらの同一構成部分に同一の符号を付して具体的な説明は省略する。
【００２９】
また、上記第２保温部材３の上記連結部１７は、上記係止部６を設けた側とは反対側の端部寄りの位置に設けられていて、この第２保温部材３を足首部に装着する際に、先ず該連結部１７を第１保温部材２に連結して第２保温部材３を位置決めしたあと、この第２保温部材３を甲回りに巻いて係止部６を止着する手順を経ることにより、この第２保温部材３を位置ずれさせることなく簡単に装着することができるようになっている。
【００３０】
上記説明は左足用の足保温具１Ａについて行ったが、右足用の足保温具１Ｂとこの左足用の足保温具１Ａとの関係は、第１保温部材２，２同士及び第２保温部材３，３同士が互いに左右対称形をしているだけで、それらの構造は全く同じである。
【００３１】
上記構成を有する足保温具１は、図５及び図６に示すように、第１保温部材２を下腿部に巻き付けて装着すると共に、第２保温部材３を足首部に巻き付けて装着し、更に、該第２保温部材３の連結部１７を第１保温部材２に連結した状態にして使用する。しかし、上記第１保温部材２と第２保温部材３が個別に形成されているため、状況に応じて第２保温部材３を取り外し、第１保温部材２だけを装着して使用することも可能である。
【００３２】
上記足保温具１を使用しないときは、第１保温部材２と第２保温部材３とを小さくかつ扁平に折り畳んで収納することができ、保管や携帯に便利である。
また、上記足保温具１が汚れたときは、上記第１保温部材２又は第２保温部材３を洗濯して汚れを落とすことができる。
【図面の簡単な説明】
【００３３】
【図１】本発明に係る足保温具の一実施例を示す展開状態での平面図で、内面側から見た図であり、（Ａ）は左足用、（Ｂ）は右足用を示している。
【図２】左足用の足保温具の外面側から見た平面図である。
【図３】上記足保温具の部分拡大断面図である。
【図４】上記足保温具を構成する中層材の部分拡大図である。
【図５】上記足保温具を巻いた形にした場合の平面図である。
【図６】本発明に係る足保温具の使用状態での斜視図である。
【符号の説明】
【００３４】
１Ａ，１Ｂ      足保温具
２      第１保温部材
３      第２保温部材
５      止着手段
６      係止部
６ａ      鈎形突子
７      被係止部
７ａ      輪奈形突子
１０      外層材
１１      内層材
１２      中層材
１７      連結部
１７ａ      鈎形突子
【図１】
2005054312.tif 000003
【図２】
2005054312.tif 000004
【図３】
2005054312.tif 000005
【図４】
2005054312.tif 000006
【図５】
2005054312.tif 000007
【図６】
2005054312.tif 000008